(57)【要約】【課題】２つの出力装置にセンターチャンネル音声信号を振り分けて供給する場合において、出力装置から出力される音声による音像を適切な位置で定位させる。【解決手段】センターチャンネル音声信号を入力する音声信号入力部と、２つの出力装置２１ｂ，２２ｂの所定の空間内の配置位置と、聴取位置とに基づいて、決定される遅延値を入力する遅延値入力部１５と、遅延値入力部１５によって入力された遅延値に基づき、音声信号入力部によって入力されたセンターチャンネル音声信号の出力を遅延させる遅延部１４と、遅延部１４によって遅延され、出力されたセンターチャンネル音声信号を２つの出力装置２１ｂ，２２ｂにそれぞれ供給する音声信号供給部とを備えることで実現する。【選択図】　図２
2004040577.tif 000002
【特許請求の範囲】
【請求項１】
所定の空間内において、聴取位置の前方左側及び前方右側にそれぞれ配置され、供給される音声信号に基づいて音声を出力する２つの出力装置に、上記聴取位置の前方に音像を定位させる音声信号として収音されたセンターチャンネル音声信号を供給する音声信号供給装置であって、
上記センターチャンネル音声信号を入力する音声信号入力手段と、
上記２つの出力装置の上記所定の空間内の配置位置と、上記聴取位置とに基づいて、決定される遅延値に基づき、上記音声信号入力手段によって入力された上記センターチャンネル音声信号の出力を遅延させる遅延手段と、
上記遅延手段によって遅延され、出力された上記センターチャンネル音声信号を上記２つの出力装置にそれぞれ供給する音声信号供給手段とを備えること
を特徴とする音声信号供給装置。
【請求項２】
上記遅延値を、上記２つの出力装置の配置位置と、上記聴取位置とに基づき、上記遅延手段に対して設定する遅延値設定手段をさらに備えることを特徴とする請求項１記載の音声信号供給装置。
【請求項３】
聴取位置の前方左側に音像を定位させる音声信号として収音されたレフトチャンネル音声信号を入力するレフトチャンネル音声信号入力手段と、
聴取位置の前方右側に音像を定位させる音声信号として収音されたライトチャンネル音声信号を入力するライトチャンネル音声信号入力手段と、
上記レフトチャンネル音声信号入力手段によって入力された上記レフトチャンネル音声信号と、上記遅延手段によって遅延されて出力されたセンターチャンネル音声信号とを加算する第１の加算手段と、
上記ライトチャンネル音声信号入力手段によって入力された上記ライトチャンネル音声信号と、上記遅延手段によって遅延されて出力されたセンターチャンネル音声信号とを加算する第２の加算手段とを備え、
上記音声信号供給手段は、上記第１の加算手段で加算されたレフトチャンネル音声信号とセンターチャンネル音声信号とを上記聴取位置の前方左側に配置された出力装置に供給し、
上記第２の加算手段で加算されたライトチャンネル音声信号と、センターチャンネル音声信号とを上記聴取位置の前方右側に配置された出力装置に供給すること
を特徴とする請求項１記載の音声信号供給装置。
【請求項４】
所定の空間内において、聴取位置の前方左側及び前方右側にそれぞれ配置され、供給される音声信号に基づいて音声を出力する２つの出力装置に、上記聴取位置の前方に音像を定位させる音声信号として収音されたセンターチャンネル音声信号を供給する音声信号供給方法であって、
上記センターチャンネル音声信号を入力する音声信号入力工程と、
上記２つの出力装置の上記所定の空間内の配置位置と、上記聴取位置とに基づいて、決定される遅延値に基づき、上記音声信号入力工程によって入力された上記センターチャンネル音声信号の出力を遅延させる遅延工程と、
上記遅延工程によって遅延され、出力された上記センターチャンネル音声信号を上記２つの出力装置にそれぞれ供給する音声信号供給工程とを備えること
を特徴とする音声信号供給方法。
【請求項５】
聴取位置の前方左側に音像を定位させる音声信号として収音されたレフトチャンネル音声信号を入力するレフトチャンネル音声信号入力工程と、
聴取位置の前方右側に音像を定位させる音声信号として収音されたライトチャンネル音声信号を入力するライトチャンネル音声信号入力工程と、
上記レフトチャンネル音声信号入力工程によって入力された上記レフトチャンネル音声信号と、上記遅延工程によって遅延されて出力されたセンターチャンネル音声信号とを加算する第１の加算工程と、
上記ライトチャンネル音声信号入力工程によって入力された上記ライトチャンネル音声信号と、上記遅延工程によって遅延されて出力されたセンターチャンネル音声信号とを加算する第２の加算工程とを備え、
上記音声信号供給工程は、上記第１の加算工程で加算されたレフトチャンネル音声信号とセンターチャンネル音声信号とを上記聴取位置の前方左側に配置された出力装置に供給し、
上記第２の加算工程で加算されたライトチャンネル音声信号と、センターチャンネル音声信号とを上記聴取位置の前方右側に配置された出力装置に供給すること
を特徴とする請求項４記載の音声信号供給方法。
【請求項６】
所定の空間内において、聴取位置の前方左側及び前方右側にそれぞれ配置され、供給される音声信号に基づいて音声を出力する２つの出力装置に、上記聴取位置の前方に音像を定位させる音声信号として収音されたセンターチャンネル音声信号を供給する音声信号供給装置であって、
上記センターチャンネル音声信号を入力する音声信号入力手段と、
上記２つの出力装置のいずれか一方の出力装置の上記所定の空間内の配置位置と、上記聴取位置との位置関係を入力する位置入力手段と、
上記位置入力手段によって入力された上記位置関係から上記センターチャンネル音声信号の遅延時間を演算する遅延時間演算手段と、
上記遅延時間演算手段によって演算された遅延時間に基づき、上記音声信号入力手段によって入力された上記センターチャンネル音声信号の出力を遅延させる遅延手段と、
上記遅延手段によって遅延され、出力された上記センターチャンネル音声信号を上記２つの出力装置にそれぞれ供給する音声信号供給手段とを備えること
を特徴とする音声信号供給装置。
【請求項７】
聴取位置の前方左側に音像を定位させる音声信号として収音されたレフトチャンネル音声信号を入力するレフトチャンネル音声信号入力手段と、
聴取位置の前方右側に音像を定位させる音声信号として収音されたライトチャンネル音声信号を入力するライトチャンネル音声信号入力手段と、
上記レフトチャンネル音声信号入力手段によって入力された上記レフトチャンネル音声信号と、上記遅延手段によって上記遅延時間だけ遅延されて出力されたセンターチャンネル音声信号とを加算する第１の加算手段と、
上記ライトチャンネル音声信号入力手段によって入力された上記ライトチャンネル音声信号と、上記遅延手段によって上記遅延時間だけ遅延されて出力されたセンターチャンネル音声信号とを加算する第２の加算手段とを備え、
上記音声信号供給手段は、上記第１の加算手段で加算されたレフトチャンネル音声信号とセンターチャンネル音声信号とを上記聴取位置の前方左側に配置された出力装置に供給し、
上記第２の加算手段で加算されたライトチャンネル音声信号と、センターチャンネル音声信号とを上記聴取位置の前方右側に配置された出力装置に供給すること
を特徴とする請求項６記載の音声信号供給装置。
【請求項８】
上記遅延時間演算手段は、上記出力装置の配置位置と上記聴取位置との距離をｄ、上記聴取位置からの上記２つの出力装置の配置方向がなす角を２θ、音速をｖとすると、上記遅延時間ｔを、
ｔ＝ｄ｛（１／ｃｏｓθ）−１｝／ｖ
に基づいて演算すること
を特徴とする請求項６記載の音声信号供給装置。
【請求項９】
上記遅延時間演算手段は、上記出力装置の配置位置と上記聴取位置との距離をｄ、上記２つの出力装置の配置位置の距離を２ｗ、音速をｖとすると、上記遅延時間ｔを、
【数１】
2004040577.tif 000005
に基づいて演算すること
を特徴とする請求項６記載の音声信号供給装置。
【請求項１０】
所定の空間内において、聴取位置の前方左側及び前方右側にそれぞれ配置され、供給される音声信号に基づいて音声を出力する２つの出力装置に、上記聴取位置の前方に音像を定位させる音声信号として収音されたセンターチャンネル音声信号を供給する音声信号供給方法であって、
上記センターチャンネル音声信号を入力する音声信号入力工程と、
上記２つの出力装置のいずれか一方の出力装置の上記所定の空間内の配置位置と、上記聴取位置との位置関係を入力する位置入力工程と、
上記位置入力工程によって入力された上記位置関係から上記センターチャンネル音声信号の遅延時間を演算する遅延時間演算工程と、
上記遅延時間演算工程によって演算された遅延時間に基づき、上記音声信号入力工程によって入力された上記センターチャンネル音声信号の出力を遅延させる遅延工程と、
上記遅延工程によって遅延され、出力された上記センターチャンネル音声信号を上記２つの出力装置にそれぞれ供給する音声信号供給工程とを備えること
を特徴とする音声信号供給方法。
【請求項１１】
聴取位置の前方左側に音像を定位させる音声信号として収音されたレフトチャンネル音声信号を入力するレフトチャンネル音声信号入力工程と、
聴取位置の前方右側に音像を定位させる音声信号として収音されたライトチャンネル音声信号を入力するライトチャンネル音声信号入力工程と、
上記レフトチャンネル音声信号入力工程によって入力された上記レフトチャンネル音声信号と、上記遅延工程によって上記遅延時間だけ遅延されて出力されたセンターチャンネル音声信号とを加算する第１の加算工程と、
上記ライトチャンネル音声信号入力工程によって入力された上記ライトチャンネル音声信号と、上記遅延工程によって上記遅延時間だけ遅延されて出力されたセンターチャンネル音声信号とを加算する第２の加算工程とを備え、
上記音声信号供給工程は、上記第１の加算工程で加算されたレフトチャンネル音声信号とセンターチャンネル音声信号とを上記聴取位置の前方左側に配置された出力装置に供給し、
上記第２の加算工程で加算されたライトチャンネル音声信号と、センターチャンネル音声信号とを上記聴取位置の前方右側に配置された出力装置に供給すること
を特徴とする請求項１０記載の音声信号供給方法。
【請求項１２】
上記遅延時間演算工程は、上記出力装置の配置位置と上記聴取位置との距離をｄ、上記聴取位置からの上記２つの出力装置の配置方向がなす角を２θ、音速をｖとすると、上記遅延時間ｔを、
ｔ＝ｄ｛（１／ｃｏｓθ）−１｝／ｖ
に基づいて演算すること
を特徴とする請求項１０記載の音声信号供給方法。
【請求項１３】
上記遅延時間演算工程は、上記出力装置の配置位置と上記聴取位置との距離をｄ、上記２つの出力装置の配置位置の距離を２ｗ、音速をｖとすると、上記遅延時間ｔを、
【数２】
2004040577.tif 000006
に基づいて演算すること
を特徴とする請求項１０記載の音声信号供給方法。
【発明の詳細な説明】
【０００１】
【発明の属する技術分野】
本発明は、マルチチャンネル方式で収音された音声コンテンツの出力に関するものであり、詳しくは、出力される音声による音像を適切に定位させる音声信号供給装置及び音声信号供給方法に関する。
【０００２】
【従来の技術】
音声コンテンツを前方３チャンネル、後方２チャンネル、低音域専用チャンネルといった複数のチャンネル（マルチチャンネル）で独立に記録した再生メディア、例えば、ＤＶＤ（Ｄｉｇｉｔａｌ　Ｖｅｒｓａｔｉｌｅ　Ｄｉｓｃ）−Ａｕｄｉｏ、ＤＶＤ−Ｖｉｄｅｏ、ＳＡＣＤ（Ｓｕｐｅｒ　Ａｕｄｉｏ　Ｃｏｍｐａｃｔ　Ｄｉｓｃ）などが登場してきている。
【０００３】
上記マルチチャンネルで記録された再生メディアは、上記各再生メディア専用の再生システムで再生され、チャンネル数に応じた複数のスピーカーからの音声出力により、従来の２チャンネルステレオでは味わえなかった優れた臨場感のある音声をユーザに提供することができる。
【０００４】
図７にＩＴＵ−Ｒ（Ｉｎｔｅｒｎａｔｉｏｎａｌ　Ｔｅｌｅｃｏｍｍｕｎｉｃａｔｉｏｎ　Ｕｎｉｏｎ−Ｒａｄｉｏ　ｃｏｍｍｕｎｉｃａｔｉｏｎ）勧告ＢＳ．７７５規格が推奨しているマルチチャンネル再生時のスピーカー配置を示す。このスピーカー配置は、前方３チャンネル（左フロントチャンネル、右フロントチャンネル、フロントセンターチャンネル）、後方２チャンネル（左サラウンドチャンネル、右サラウンドチャンネル）の５チャンネルを基本としている。
【０００５】
【発明が解決しようとする課題】
ところで、実際にユーザが自身の部屋空間などにスピーカーを配置することを考えると、上述したＩＴＵ−Ｒ勧告ＢＳ．７７５規格で推奨されるようにスピーカーを配置することが困難な場合が多い。
【０００６】
特に、ＤＶＤ−Ｖｉｄｅｏなどの映像コンテンツを含んだメディアを再生する場合、視聴する正面方向に必ずディスプレイを設置する必要があり、フロントセンターチャンネルに対応したフロントセンタースピーカーの設置スペースが存在しないことになる。また、センターよりずれた場所に、このフロントセンタースピーカーを設置すると、出力される音声による音像が正しい位置に定位しないことになってしまう。
【０００７】
そこで、このようにセンタースピーカーを部屋空間に配置することができない場合に対応するために、左フロントチャンネルに対応した左フロントスピーカー、右フロントチャンネルに対応した右フロントスピーカーのそれぞれにフロントセンターチャンネルのフロントセンター音声信号を振り分けて供給することで、センタースピーカーの代用としたり、左フロントスピーカー、右フロントスピーカーと同じ位置、例えば、左フロントスピーカー、右フロントスピーカーの上などにフロントセンター音声信号を供給するためのスピーカーを配置させるといった手法が実施されている。
【０００８】
一般にリスナから見て等距離にある２つのスピーカーに同一の音声信号を入力した場合、出力される音声による音像は、２つのスピーカーの幾何学中心に定位する。
【０００９】
したがって、図８に示すようにＩＴＵ−Ｒ勧告ＢＳ．７７５規格で推奨される位置に左フロントスピーカーとしてスピーカー５１、右フロントスピーカーとしてスピーカー５２を配置した場合、出力される音声による音像は、”Ｃｉ”として示す位置に定位することになる。
【００１０】
このように、２つのスピーカー、スピーカー５１、スピーカー５２による音像が定位する位置は、本来、フロントセンタースピーカーの配置に適切である位置”Ｃ”より聴取位置に近くなるため正確な音場再生ができなくなってしまうといった問題がある。
【００１１】
そこで、本発明は上述したような問題を解決するために案出されたものであり、聴取位置の左右に配置された２つの出力装置にセンターチャンネル音声信号を振り分けて出力させる場合において、出力される音声による音像が適切な位置で定位する音声信号供給装置及び音声信号供給方法を提供することを目的とする。
【００１２】
【課題を解決するための手段】
上述の目的を達成するために、本発明に係る音声信号供給装置は、所定の空間内において、聴取位置の前方左側及び前方右側にそれぞれ配置され、供給される音声信号に基づいて音声を出力する２つの出力装置に、上記聴取位置の前方に音像を定位させる音声信号として収音されたセンターチャンネル音声信号を供給する音声信号供給装置であって、上記センターチャンネル音声信号を入力する音声信号入力手段と、上記２つの出力装置の上記所定の空間内の配置位置と、上記聴取位置とに基づいて、決定される遅延値に基づき、上記音声信号入力手段によって入力された上記センターチャンネル音声信号の出力を遅延させる遅延手段と、上記遅延手段によって遅延され、出力された上記センターチャンネル音声信号を上記２つの出力装置にそれぞれ供給する音声信号供給手段とを備えることを特徴とする。
【００１３】
上述の目的を達成するために、本発明に係る音声信号供給方法は、所定の空間内において、聴取位置の前方左側及び前方右側にそれぞれ配置され、供給される音声信号に基づいて音声を出力する２つの出力装置に、上記聴取位置の前方に音像を定位させる音声信号として収音されたセンターチャンネル音声信号を供給する音声信号供給方法であって、上記センターチャンネル音声信号を入力する音声信号入力工程と、上記２つの出力装置の上記所定の空間内の配置位置と、上記聴取位置とに基づいて、決定される遅延値に基づき、上記音声信号入力工程によって入力された上記センターチャンネル音声信号の出力を遅延させる遅延工程と、上記遅延工程によって遅延され、出力された上記センターチャンネル音声信号を上記２つの出力装置にそれぞれ供給する音声信号供給工程とを備えることを特徴とする。
【００１４】
上述の目的を達成するために、本発明に係る音声信号供給装置は、所定の空間内において、聴取位置の前方左側及び前方右側にそれぞれ配置され、供給される音声信号に基づいて音声を出力する２つの出力装置に、上記聴取位置の前方に音像を定位させる音声信号として収音されたセンターチャンネル音声信号を供給する音声信号供給装置であって、上記センターチャンネル音声信号を入力する音声信号入力手段と、上記２つの出力装置のいずれか一方の出力装置の上記所定の空間内の配置位置と、上記聴取位置との位置関係を入力する位置入力手段と、上記位置入力手段によって入力された上記位置関係から上記センターチャンネル音声信号の遅延時間を演算する遅延時間演算手段と、上記遅延時間演算手段によって演算された遅延時間に基づき、上記音声信号入力手段によって入力された上記センターチャンネル音声信号の出力を遅延させる遅延手段と、上記遅延手段によって遅延され、出力された上記センターチャンネル音声信号を上記２つの出力装置にそれぞれ供給する音声信号供給手段とを備えることを特徴とする。
【００１５】
上述の目的を達成するために、本発明に係る音声信号供給方法は、所定の空間内において、聴取位置の前方左側及び前方右側にそれぞれ配置され、供給される音声信号に基づいて音声を出力する２つの出力装置に、上記聴取位置の前方に音像を定位させる音声信号として収音されたセンターチャンネル音声信号を供給する音声信号供給方法であって、上記センターチャンネル音声信号を入力する音声信号入力工程と、上記２つの出力装置のいずれか一方の出力装置の上記所定の空間内の配置位置と、上記聴取位置との位置関係を入力する位置入力工程と、上記位置入力工程によって入力された上記位置関係から上記センターチャンネル音声信号の遅延時間を演算する遅延時間演算工程と、上記遅延時間演算工程によって演算された遅延時間に基づき、上記音声信号入力工程によって入力された上記センターチャンネル音声信号の出力を遅延させる遅延工程と、上記遅延工程によって遅延され、出力された上記センターチャンネル音声信号を上記２つの出力装置にそれぞれ供給する音声信号供給工程とを備えることを特徴とする。
【００１６】
【発明の実施の形態】
以下、本発明に係る音声信号供給装置及び音声信号供給方法の実施の形態を図面を参照にして詳細に説明する。
【００１７】
本発明は、図１に示すメディア再生システムのＡＶレシーバー１０に適用される。メディア再生システムは、メディア再生装置５と、ＡＶレシーバー１０と、ＡＶレシーバー１０から供給される音声信号を音声として出力するスピーカー２１ａと、スピーカー２１ｂと、スピーカー２２ａと、スピーカー２２ｂからなるスピーカーシステム２０とを備えている。また、メディア再生システムは、メディア再生装置５、ＡＶレシーバー１０の各機能部を遠隔操作できるリモートコントローラ４０を備えていてもよい。
【００１８】
メディア再生装置５は、例えば、ＣＤ（Ｃｏｍｐａｃｔ　Ｄｉｓｃ）、ＤＶＤ（Ｄｉｇｉｔａｌ　Ｖｅｒｓａｔｉｌｅ　Ｄｉｓｃ）−Ｖｉｄｅｏ、ＤＶＤ−Ａｕｄｉｏ、ＳＡＣＤ（Ｓｕｐｅｒ　Ａｕｄｉｏ　Ｃｏｍｐａｃｔ　Ｄｉｓｃ）といった音声コンテンツを含むデジタルデータが記録された再生メディア１を再生する再生装置である。メディア再生装置５で再生されたデジタル音声信号は、所定のケーブルを介してＡＶレシーバー１０に供給される。
【００１９】
再生メディア１に記録された音声コンテンツは、少なくとも前方３チャンネル（左フロントチャンネル、フロントセンターチャンネル、右フロントチャンネル）を独立したチャンネルとして記録するマルチチャンネルに対応している。
【００２０】
また、再生メディア１に記録された音声コンテンツは、前方３チャンネルに加えて、後方２チャンネル（左サラウンドチャンネル、右サラウンドチャンネル）、低音域専用チャンネル（ＬＦＥ：Ｌｏｗ　Ｆｒｅｑｕｅｎｃｙ　Ｅｆｆｅｃｔ）を独立したチャンネルとして保持していてもよい。なお、後方チャンネルを３以上備える再生メディアもある。
【００２１】
説明のため、以下においては再生メディア１には左フロントチャンネル、フロントセンターチャンネル、右フロントチャンネルを独立したチャンネルとした音声コンテンツが記録されているとする。
【００２２】
ＡＶレシーバー１０は、メディア再生装置５から供給されたデジタル音声信号に所定の信号処理を施し、所定の信号処理を施したデジタル音声信号を増幅して、スピーカーシステム２０の各スピーカーに出力する。以下の説明においては、ＡＶレシーバー１０に入力される信号をデジタル音声信号としているが、アナログ音声信号の場合でも本発明は適用できることは言うまでもない。
【００２３】
図２に示すように、ＡＶレシーバー１０には、メディア再生装置５から左フロントチャンネル１１として左フロント音声信号が、フロントセンターチャンネル１２としてフロントセンター音声信号が、右フロントチャンネル１３として右フロント音声信号が供給される。
【００２４】
ＡＶレシーバー１０は、左フロントチャンネル１１として供給される左フロント音声信号、右フロントチャンネル１３として供給される右フロント音声信号を、図示しない信号処理部による所定の信号処理、図示しないＤＡＣによるデジタル音声信号からアナログ音声信号への変換、増幅器１６，１７による増幅処理を施しスピーカー２１ａ、スピーカー２２ａにそれぞれ供給する。
【００２５】
また、ＡＶレシーバー１０は、フロントセンターチャンネル１２として供給されるフロントセンター信号を、遅延回路１４、遅延量設定回路１５による遅延処理を施してから、増幅器１８，１９によって増幅処理をし、スピーカー２１ｂ、スピーカー２２ｂに供給する。遅延回路１４、遅延量設定回路１５による遅延処理については、後で詳細に説明をする。
【００２６】
図３に示すようにスピーカーシステム２０のスピーカー２１ａは、左フロントスピーカーとして、ユーザの聴取方向から左方向に開き角をおおよそ３０度とした位置に配置され、スピーカー２２ａは、右フロントスピーカーとして、同じくユーザの聴取方向から右方向に開き角をおおよそ３０度とした位置に配置される。
【００２７】
また、スピーカー２１ｂは、スピーカー２１ａと同じ位置に、スピーカー２２ｂは、スピーカー２２ａと同じ位置に配置される。実際には、スピーカー２１ａ、２１ｂおよびスピーカー２２ａ、２２ｂは、例えば上下に重ねて配置されたり、水平方向に近接して並置される。
【００２８】
スピーカー２１ａ、スピーカー２２ａには、ＡＶレシーバー１０からそれぞれ左フロント音声信号、右フロント音声信号が供給され、スピーカー２１ｂ及びスピーカー２２ｂにはフロントセンター音声信号が振り分けられて供給される。
【００２９】
続いて、遅延回路１４、遅延量設定回路１５による遅延処理について説明をする。
【００３０】
図４に示すようにフロントセンター音声信号が供給されるスピーカー２１ｂ、２２ｂが、左フロント音声信号が供給されるスピーカー２１ａ、右フロント音声信号が供給されるスピーカー２２ａと同じ位置に配置される場合、スピーカー２１ｂ、２２ｂから出力される音声による音像は、”Ｃｉ”として示す位置に定位することになる。
【００３１】
しかし、再生メディア１には、スピーカーから出力された音声による音像が、”Ｃ”として示した位置に定位する場合に最適に聴取できるようなフロント音声信号が記録されているため、スピーカー２１ｂと、スピーカー２２ｂから出力される音声による音像が、”Ｃ”として示した位置に定位するように、フロントセンター音声信号を所定の時間だけ遅延させてスピーカー２１ｂ、スピーカー２２ｂに供給する。
【００３２】
スピーカー２１ｂ、スピーカー２２ｂに、フロントセンター音声信号を遅延させて供給することで、図４に示すように、あたかもスピーカー２１ｂ’、スピーカー２２ｂ’から音声が出力され、出力された音声による音像が”Ｃ”として示した位置に定位するようになる。
【００３３】
遅延回路１４は、例えば、ランダムアクセスが可能なＲＡＭ（Ｒａｎｄｏｍ　Ａｃｃｅｓｓ　Ｍｅｍｏｒｙ）といった記憶素子を用いたデジタル信号を遅延させる回路、又は、ＢＢＤ（Ｂｕｃｋｅｔ　Ｂｒｉｇａｄｅ　Ｄｅｖｉｃｅ）などのアナログ素子を用いたアナログ信号を遅延させる回路を備えている。
【００３４】
遅延回路１４は、遅延量設定回路１５によって設定される遅延量に応じて供給されるフロントセンター音声信号を遅延させて出力する。
【００３５】
したがって、遅延回路１４がデジタル信号を遅延させる回路である場合は、図示しないＤＡＣの前段に配置され、遅延回路１４がアナログ信号を遅延させる回路である場合は図示しないＤＡＣの後段に配置される。
【００３６】
遅延量設定回路１５は、ユーザが、例えば、時間や距離といった遅延量を数値で直接入力したりする入力ボタンや、聴感によって遅延量を調節することの可能なつまみなどのユーザインターフェースを備えており、入力された遅延量を遅延回路１４に設定する。
【００３７】
また、遅延量設定回路１５は、スピーカーの配置がＩＴＵ−Ｒ勧告ＢＳ．７７５規格に準じている場合は、ユーザの聴取位置から左フロントスピーカー、又は、右フロントスピーカーの距離を入力することで、遅延時間を演算することもできる。
【００３８】
以下に、遅延量設定回路１５による遅延時間の演算手法を説明する。スピーカー２１ｂ、スピーカー２２ｂが上述した図４のようにしてＩＴＵ−Ｒ勧告ＢＳ．７７５規格に準じて配置されている場合において、ユーザの聴取位置からスピーカー２１ｂまでの距離をｄ（ｍ）とし、スピーカー２１ｂを遅延補正をした場合のスピーカー２１ｂ’までの距離をｄ１（ｍ）とし、音速をｖ（ｍ／ｓ）とすると、遅延時間ｔ（ｍｓ）は、ｔ＝（ｄ１−ｄ）／ｖとなる。
【００３９】
図５に示す直角三角形より、ｃｏｓθ＝ｄ／ｄ１なので、ｄ１＝ｄ／ｃｏｓθとなり、ｄ１−ｄ＝ｄ（１／ｃｏｓθ−１）となる。
【００４０】
したがって、遅延時間ｔ（ｍｓ）は、音速がおよそｖ＝３４０ｍ／ｓであることから、ｔ＝ｄ｛（１／ｃｏｓθ）−１｝／０．３４（ｍｓ）のように演算することができる。特に、スピーカー２１ｂの開き角θが３０度である場合の遅延時間ｔ（ｍｓ）はおよそｔ＝０．４５５ｄとなり、例えば、ユーザの聴取位置からスピーカー２１ｂまでの距離がｄ＝２（ｍ）であれば、この遅延時間ｔ＝０．９１（ｍｓ）となる。
【００４１】
なお、スピーカー２２ｂに関しても配置位置から同様の演算ができ、遅延時間ｔは同じになるため、省略をする。
【００４２】
また、スピーカー２１ｂとスピーカー２２ｂとの距離が２ｗ（ｍ）である場合には、音像位置Ｃｉはその中点であるから、図５においてＣｉと２１ｂとの距離はｗ（ｍ）となる。上述のスピーカー開き角θの代わりにこの距離ｗを使えば、ｄ１−ｄは、以下のように表せる。
【００４３】
【数３】
2004040577.tif 000003
【００４４】
よって、遅延時間ｔは、次に示す式により導かれる。
【００４５】
【数４】
2004040577.tif 000004
【００４６】
もちろん、スピーカー２２ｂに関してもこの場合も同様の演算ができ、遅延時間ｔは同じになるため、省略をする。
【００４７】
このようにして、遅延量設定回路１５は、ユーザによって、聴取位置からのスピーカー２１ｂ、又は、スピーカー２２ｂまでの距離ｄ（ｍ）、およびスピーカーの開き角θ、又は、スピーカー２１ｂとスピーカー２２ｂ間の距離２ｗ（ｍ）を入力されることで遅延時間ｔ（ｍｓ）を演算することができる。
【００４８】
遅延量設定回路１５によって演算された遅延時間ｔ（ｍｓ）は遅延回路１４に設定され、遅延回路１４は、設定された遅延時間に応じて、フロントセンターチャンネル１２から入力されるフロントセンター信号を遅延させ、遅延させたフロントセンター音声信号をスピーカー２１ｂ及びスピーカー２２ｂへ供給をする。
【００４９】
このように、遅延回路１４、遅延量設定回路１５を備えたＡＶレシーバー１０は、フロントセンターチャンネル１２からのフロントセンター音声信号を所定の時間だけ遅延させてスピーカー２１ｂ、スピーカー２２ｂに供給することで、スピーカー２１ｂ及びスピーカー２２ｂから出力される音声による音像を適切な位置に定位させることができる。
【００５０】
また、メディア再生システムは、図１に示すように、スピーカーシステム２０に代えて、スピーカーシステム３０を用いた構成とすることができる。
【００５１】
スピーカーシステム３０は、左フロントスピーカー及びフロントセンタースピーカーとなるスピーカー３１と、右フロントスピーカー及びフロントセンタースピーカーとなるスピーカー３２とを備えている。
【００５２】
スピーカーシステム３０を使用する場合、ＡＶレシーバー１０は図６に示すように、左フロントチャンネル１１として供給される左フロント音声信号と、遅延回路１４にて上述した遅延処理を実行されたフロントセンター音声信号とを加算する加算器３５と、加算器３５で加算された信号を増幅する増幅器３７を備え、同様に右フロントチャンネル１３からの右フロント音声信号と、遅延回路１４にて上述した遅延処理を実行されたフロントセンター音声信号とを加算する加算器３６と、加算器３６で加算された信号を増幅する増幅器３８とを備える。
【００５３】
加算器３５及び加算器３６は、それぞれ入力された音声信号のゲインを調整することができる。
【００５４】
また、上述の実施の形態においては、図示しないが、ＡＶレシーバー１０は、各チャンネルの音声信号に所定の信号処理をする信号処理部、デジタル信号からアナログ信号へと変換するＤＡＣを備えているものとしたが、入力される音声信号がアナログ信号の場合にも本発明を適用することができ、その場合にはＤＡＣを備えない構成とすることもできる。
【００５５】
増幅器３７から出力された音声信号は、スピーカー３１へ供給され、増幅器３８から出力された音声信号はスピーカー３２へ供給される。
【００５６】
このように、遅延回路１４及び遅延量設定回路１５を備えたＡＶレシーバー１０は、フロントセンターチャンネル１２からのフロントセンター音声信号を所定の時間だけ遅延させてスピーカー３１、スピーカー３２に供給することで、スピーカー３１及びスピーカー３２から出力される音声による音像を適切な位置に定位させることができる。
【００５７】
【発明の効果】
以上の説明からも明らかなように、本発明の音声信号供給装置は、２つの出力装置の所定の空間内の配置位置と、聴取位置とに基づいて、決定される遅延値に基づき、入力されたセンターチャンネル音声信号の出力を遅延手段によって遅延させ、出力装置にそれぞれ供給することで、出力される音声による音像が適切な位置で定位することを可能とする。
【００５８】
また、以上の説明からも明らかなように、本発明の音声信号供給方法は、２つの出力装置の所定の空間内の配置位置と、聴取位置とに基づいて、決定される遅延値に基づき、入力されたセンターチャンネル音声信号の出力を遅延工程によって遅延させ、出力装置にそれぞれ供給することで、出力される音声による音像が適切な位置で定位することを可能とする。
【００５９】
また、以上の説明からも明らかなように、本発明の音声信号供給装置は、２つの出力装置のいずれか一方の出力装置の所定の空間内の配置位置と、聴取位置との位置関係からセンターチャンネル音声信号の遅延時間を演算し、演算された遅延時間に基づき、入力されたセンターチャンネル音声信号の出力を遅延手段によって遅延させ、出力装置にそれぞれ供給することで、出力される音声による音像が適切な位置で定位することを可能とする。
【００６０】
また、以上の説明からも明らかなように、本発明の音声信号供給方法は、２つの出力装置のいずれか一方の出力装置の所定の空間内の配置位置と、聴取位置との位置関係からセンターチャンネル音声信号の遅延時間を演算し、演算された遅延時間に基づき、入力されたセンターチャンネル音声信号の出力を遅延工程によって遅延させ、出力装置にそれぞれ供給することで、出力される音声による音像が適切な位置で定位することを可能とする。
【図面の簡単な説明】
【図１】本発明の実施の形態として示すメディア再生システムの構成について説明するための図である。
【図２】同メディア再生システムが備えるＡＶレシーバーの要部構成を説明するための概略図である。
【図３】同メディア再生システムにおいて、スピーカーの配置位置を示した図である。
【図４】同メディア再生システムにおいて、スピーカーの配置位置による遅延時間について説明するための図である。
【図５】同メディア再生システムにおいて、遅延量設定回路による遅延時間の演算について説明する際に用いる図である。
【図６】同メディア再生システムが備えるＡＶレシーバーの別な要部構成を説明するための図である。
【図７】ＩＴＵ−Ｒ（Ｉｎｔｅｒｎａｔｉｏｎａｌ　Ｔｅｌｅｃｏｍｍｕｎｉｃａｔｉｏｎ　Ｕｎｉｏｎ−Ｒａｄｉｏ　ｃｏｍｍｕｎｉｃａｔｉｏｎ　ｓｅｃｔｏｒ）勧告ＢＳ．７７５規格が推奨しているマルチチャンネル再生時のスピーカー配置について説明するための図である。
【図８】フロントセンター音声信号による音像が定位する位置について説明するための図である。
【符号の説明】
１　再生メディア、５　メディア再生装置、１０　ＡＶレシーバー、１４　遅延回路、１５　遅延量設定回路、２０　スピーカーシステム、２１ａ，２１ｂ，２２ａ，２２ｂ　スピーカー、３０　スピーカーシステム、３１，３２　スピーカー
【図１】
2004040577.tif 000007
【図２】
2004040577.tif 000008
【図３】
2004040577.tif 000009
【図４】
2004040577.tif 000010
【図５】
2004040577.tif 000011
【図６】
2004040577.tif 000012
【図７】
2004040577.tif 000013
【図８】
2004040577.tif 000014